(57)【要約】【課題】通信装置に対する遠隔でのプロファイルの設定が長期間中断された場合であっても、通信装置が通信可能な状態になった際に設定を再開することができるようにする。【解決手段】本発明の一実施形態に係る通信制御装置１００は、通信装置が通信に用いるプロファイルを設定するための条件を記憶する記憶部１３０と、通信装置から信号を受信する受信部１１１と、信号が記憶部１３０に記憶された条件を満たす場合に、通信装置に対してプロファイルの設定を開始するプロファイル設定部１１３と、プロファイル設定部１１３がプロファイルの設定を開始した場合に記憶部１３０に記憶された条件を無効化するとともに、プロファイル設定部１１３がプロファイルの設定に失敗した場合に記憶部１３０に記憶された条件を有効化するトリガ設定部１１２と、を有する。【選択図】図３
2019146097.tif 000002
【特許請求の範囲】
【請求項１】
通信装置が通信に用いるプロファイルを設定するための条件を記憶する記憶部と、
前記通信装置から信号を受信する受信部と、
前記信号が前記記憶部に記憶された前記条件を満たす場合に、前記通信装置に対して前記プロファイルの設定を開始するプロファイル設定部と、
前記プロファイル設定部が前記プロファイルの設定を開始した場合に前記記憶部に記憶された前記条件を無効化するとともに、前記プロファイル設定部が前記プロファイルの設定に失敗した場合に前記記憶部に記憶された前記条件を有効化する条件設定部と、
を有する通信制御装置。
【請求項２】
通信装置が通信に用いるプロファイルを設定するための条件を記憶する記憶部と、
前記通信装置から信号を受信する受信部と、
前記信号が前記記憶部に記憶された前記条件を満たす場合に、前記通信装置に対して前記プロファイルの設定を開始するプロファイル設定部と、
前記プロファイル設定部が前記プロファイルの設定を開始した場合に前記記憶部に記憶された前記条件を維持するとともに、前記プロファイル設定部が前記プロファイルの設定に成功した場合に前記記憶部に記憶された前記条件を無効化する条件設定部と、
を有する通信制御装置。
【請求項３】
前記記憶部は、前記プロファイルに対応する地域を示す前記条件を記憶し、
前記受信部は、前記通信装置が通信を行う地域を示す前記信号を受信し、
前記プロファイル設定部は、前記信号が示す地域と前記条件が示す地域とが一致することを条件の１つとして、前記プロファイルの設定を開始する、請求項１又は２に記載の通信制御装置。
【請求項４】
前記プロファイル設定部は、前記プロファイルの設定を所定の回数繰り返し、前記所定の回数が満了しても前記プロファイルの設定が成功しない場合に、前記プロファイルの設定に失敗したと判定する、請求項１から３のいずれか一項に記載の通信制御装置。
【請求項５】
所定の回数が満了する前に前記受信部が前記信号を受信した場合に、前記プロファイル設定部は前記プロファイルの設定の繰り返し回数を初期値に戻す、請求項４に記載の通信制御装置。
【請求項６】
前記プロファイル設定部は、前記通信装置に前記プロファイルを送信した後、前記通信装置上で前記プロファイルを有効化することによって、前記プロファイルを設定し、
前記受信部は、前記通信装置から前記プロファイルの受信完了を示す情報と、前記プロファイルの有効化完了を示す情報とを受信する、請求項１から５のいずれか一項に記載の通信制御装置。
【請求項７】
前記プロファイル設定部は、前記受信部が前記プロファイルの受信完了を示す情報を受信し、かつ前記プロファイルの有効化完了を示す情報を受信していない場合に、前記プロファイルの送信を行わずに前記プロファイルの有効化を行う、請求項６に記載の通信制御装置。
【請求項８】
プロセッサが、
通信装置が通信に用いるプロファイルを設定するための条件を記憶部に記憶させるステップと、
前記通信装置から受信した信号が前記記憶部に記憶された前記条件を満たす場合に、前記通信装置に対して前記プロファイルの設定を開始するステップと、
前記プロファイルの設定が開始された場合に前記記憶部に記憶された前記条件を無効化するとともに、前記プロファイルの設定が失敗した場合に前記記憶部に記憶された前記条件を有効化するステップと、
を実行する通信設定方法。
【請求項９】
プロセッサが、
通信装置が通信に用いるプロファイルを設定するための条件を記憶部に記憶させるステップと、
前記通信装置から受信した信号が前記記憶部に記憶された前記条件を満たす場合に、前記通信装置に対して前記プロファイルの設定を開始するステップと、
前記プロファイルの設定が開始された場合に前記記憶部に記憶された前記条件を維持するとともに、前記プロファイルの設定が成功した場合に前記記憶部に記憶された前記条件を無効化するステップと、
を実行する通信設定方法。
【請求項１０】
コンピュータに、
通信装置が通信に用いるプロファイルを設定するための条件を記憶部に記憶させるステップと、
前記通信装置から信号を受信するステップと、
前記信号が前記記憶部に記憶された前記条件を満たす場合に、前記通信装置に対して前記プロファイルの設定を開始するステップと、
前記プロファイルの設定が開始された場合に前記記憶部に記憶された前記条件を無効化するとともに、前記プロファイルの設定が失敗した場合に前記記憶部に記憶された前記条件を有効化するステップと、
を実行させる通信設定プログラム。
【請求項１１】
コンピュータに、
通信装置が通信に用いるプロファイルを設定するための条件を記憶部に記憶させるステップと、
前記通信装置から信号を受信するステップと、
前記信号が前記記憶部に記憶された前記条件を満たす場合に、前記通信装置に対して前記プロファイルの設定を開始するステップと、
前記プロファイルの設定が開始された場合に前記記憶部に記憶された前記条件を維持するとともに、前記プロファイルの設定が成功した場合に前記記憶部に記憶された前記条件を無効化するステップと、
を実行させる通信設定プログラム。
【請求項１２】
通信装置と、前記通信装置と通信可能な通信制御装置とを有し、
前記通信制御装置は、
前記通信装置が通信に用いるプロファイルを設定するための条件を記憶する記憶部と、
前記通信装置から信号を受信する受信部と、
前記信号が前記記憶部に記憶された前記条件を満たす場合に、前記通信装置に対して前記プロファイルの設定を開始するプロファイル設定部と、
前記プロファイル設定部が前記プロファイルの設定を開始した場合に前記記憶部に記憶された前記条件を無効化するとともに、前記プロファイル設定部が前記プロファイルの設定に失敗した場合に前記記憶部に記憶された前記条件を有効化する条件設定部と、
を備える、通信システム。
【請求項１３】
通信装置と、前記通信装置と通信可能な通信制御装置とを有し、
前記通信制御装置は、
前記通信装置が通信に用いるプロファイルを設定するための条件を記憶する記憶部と、
前記通信装置から信号を受信する受信部と、
前記信号が前記記憶部に記憶された前記条件を満たす場合に、前記通信装置に対して前記プロファイルの設定を開始するプロファイル設定部と、
前記プロファイル設定部が前記プロファイルの設定を開始した場合に前記記憶部に記憶された前記条件を維持するとともに、前記プロファイル設定部が前記プロファイルの設定に成功した場合に前記記憶部に記憶された前記条件を無効化する条件設定部と、
を備える、通信システム。
【発明の詳細な説明】
【技術分野】
【０００１】
本発明は、通信装置による通信を制御するための通信制御装置、通信設定方法、通信設定プログラム及び通信システムに関する。
【背景技術】
【０００２】
近年、通信装置を備えることによって通信可能な車両が販売されている。車両は、ある国で製造された後に、異なる国へ輸送されて販売されることがある。この場合に、車両に設けられた通信装置には、輸送先の国の事業者が提供する通信サービスを用いて通信可能となるようにプロファイル（通信プロファイル）が設定される。通信装置に対して遠隔でプロファイルを提供して有効化する設定処理を、リモートプロビジョニングという。
【０００３】
特許文献１、２には、ある事業者が通信サービスを提供する地域から異なる事業者が通信サービスを提供する地域に端末が移動した際に、端末に対して移動先の事業者に対応する新たなプロファイルを遠隔で設定する技術が記載されている。
【先行技術文献】
【特許文献】
【０００４】
【特許文献１】米国特許第９５８５０００号明細書
【特許文献２】米国特許出願公開第２０１６/０１９２３１２号明細書
【発明の概要】
【発明が解決しようとする課題】
【０００５】
ところで、通信装置に対して遠隔でプロファイルを設定するためには、数分〜１０分程度の時間が掛かることが知られている。車両は、輸送先の国に到達した際に電源が入れられ、プロファイルの設定が完了する前に再び電源が落とされ、地下等の通信不可能な場所に長期間保管される場合がある。
【０００６】
特許文献１、２に記載の技術は、プロファイルの設定が長期間中断されることを想定していない。車両の保管が長期間（例えば数ヶ月以上）に及ぶ場合に、特許文献１、２に記載の技術におけるプロファイルの設定を無限に再試行することは非効率である。一方、プロファイルの設定の再試行を所定の回数に制限すると、再試行の回数が満了した後に車両が通信可能な状態になっても、プロファイルの設定を再開することができない。
【０００７】
本発明はこれらの点に鑑みてなされたものであり、通信装置に対する遠隔でのプロファイルの設定が長期間中断された場合であっても、通信装置が通信可能な状態になった際に設定を再開することができる通信制御装置、通信設定方法、通信設定プログラム及び通信システムを提供することを目的とする。
【課題を解決するための手段】
【０００８】
本発明の第１の態様の通信制御装置は、通信装置が通信に用いるプロファイルを設定するための条件を記憶する記憶部と、前記通信装置から信号を受信する受信部と、前記信号が前記記憶部に記憶された前記条件を満たす場合に、前記通信装置に対して前記プロファイルの設定を開始するプロファイル設定部と、前記プロファイル設定部が前記プロファイルの設定を開始した場合に前記記憶部に記憶された前記条件を無効化するとともに、前記プロファイル設定部が前記プロファイルの設定に失敗した場合に前記記憶部に記憶された前記条件を有効化する条件設定部と、を有する。
【０００９】
本発明の第２の態様の通信制御装置は、通信装置が通信に用いるプロファイルを設定するための条件を記憶する記憶部と、前記通信装置から信号を受信する受信部と、前記信号が前記記憶部に記憶された前記条件を満たす場合に、前記通信装置に対して前記プロファイルの設定を開始するプロファイル設定部と、前記プロファイル設定部が前記プロファイルの設定を開始した場合に前記記憶部に記憶された前記条件を維持するとともに、前記プロファイル設定部が前記プロファイルの設定に成功した場合に前記記憶部に記憶された前記条件を無効化する条件設定部と、を有する。
【００１０】
前記記憶部は、前記プロファイルに対応する地域を示す前記条件を記憶し、前記受信部は、前記通信装置が通信を行う地域を示す前記信号を受信し、前記プロファイル設定部は、前記信号が示す地域と前記条件が示す地域とが一致することを条件の１つとして、前記プロファイルの設定を開始してもよい。
【００１１】
前記プロファイル設定部は、前記プロファイルの設定を所定の回数繰り返し、前記所定の回数が満了しても前記プロファイルの設定が成功しない場合に、前記プロファイルの設定に失敗したと判定してもよい。
【００１２】
所定の回数が満了する前に前記受信部が前記信号を受信した場合に、前記プロファイル設定部は前記プロファイルの設定の繰り返し回数を初期値に戻してもよい。
【００１３】
前記プロファイル設定部は、前記通信装置に前記プロファイルを送信した後、前記通信装置上で前記プロファイルを有効化することによって、前記プロファイルを設定し、前記受信部は、前記通信装置から前記プロファイルの受信完了を示す情報と、前記プロファイルの有効化完了を示す情報とを受信してもよい。
【００１４】
前記プロファイル設定部は、前記受信部が前記プロファイルの受信完了を示す情報を受信し、かつ前記プロファイルの有効化完了を示す情報を受信していない場合に、前記プロファイルの送信を行わずに前記プロファイルの有効化を行ってもよい。
【００１５】
本発明の第３の態様の通信設定方法は、プロセッサが、通信装置が通信に用いるプロファイルを設定するための条件を記憶部に記憶させるステップと、前記通信装置から受信した信号が前記記憶部に記憶された前記条件を満たす場合に、前記通信装置に対して前記プロファイルの設定を開始するステップと、前記プロファイルの設定が開始された場合に前記記憶部に記憶された前記条件を無効化するとともに、前記プロファイルの設定が失敗した場合に前記記憶部に記憶された前記条件を有効化するステップと、を実行する。
【００１６】
本発明の第４の態様の通信設定方法は、プロセッサが、通信装置が通信に用いるプロファイルを設定するための条件を記憶部に記憶させるステップと、前記通信装置から受信した信号が前記記憶部に記憶された前記条件を満たす場合に、前記通信装置に対して前記プロファイルの設定を開始するステップと、前記プロファイルの設定が開始された場合に前記記憶部に記憶された前記条件を維持するとともに、前記プロファイルの設定が成功した場合に前記記憶部に記憶された前記条件を無効化するステップと、を実行する。
【００１７】
本発明の第５の態様の通信設定プログラムは、コンピュータに、通信装置が通信に用いるプロファイルを設定するための条件を記憶部に記憶させるステップと、前記通信装置から信号を受信するステップと、前記信号が前記記憶部に記憶された前記条件を満たす場合に、前記通信装置に対して前記プロファイルの設定を開始するステップと、前記プロファイルの設定が開始された場合に前記記憶部に記憶された前記条件を無効化するとともに、前記プロファイルの設定が失敗した場合に前記記憶部に記憶された前記条件を有効化するステップと、を実行させる。
【００１８】
本発明の第６の態様の通信設定プログラムは、コンピュータに、通信装置が通信に用いるプロファイルを設定するための条件を記憶部に記憶させるステップと、前記通信装置から信号を受信するステップと、前記信号が前記記憶部に記憶された前記条件を満たす場合に、前記通信装置に対して前記プロファイルの設定を開始するステップと、前記プロファイルの設定が開始された場合に前記記憶部に記憶された前記条件を維持するとともに、前記プロファイルの設定が成功した場合に前記記憶部に記憶された前記条件を無効化するステップと、を実行させる。
【００１９】
本発明の第７の態様の通信システムは、通信装置と、前記通信装置と通信可能な通信制御装置とを有し、前記通信制御装置は、前記通信装置が通信に用いるプロファイルを設定するための条件を記憶する記憶部と、前記通信装置から信号を受信する受信部と、前記信号が前記記憶部に記憶された前記条件を満たす場合に、前記通信装置に対して前記プロファイルの設定を開始するプロファイル設定部と、前記プロファイル設定部が前記プロファイルの設定を開始した場合に前記記憶部に記憶された前記条件を無効化するとともに、前記プロファイル設定部が前記プロファイルの設定に失敗した場合に前記記憶部に記憶された前記条件を有効化する条件設定部と、を備える。
【００２０】
本発明の第８の態様の通信システムは、通信装置と、前記通信装置と通信可能な通信制御装置とを有し、前記通信制御装置は、前記通信装置が通信に用いるプロファイルを設定するための条件を記憶する記憶部と、前記通信装置から信号を受信する受信部と、前記信号が前記記憶部に記憶された前記条件を満たす場合に、前記通信装置に対して前記プロファイルの設定を開始するプロファイル設定部と、前記プロファイル設定部が前記プロファイルの設定を開始した場合に前記記憶部に記憶された前記条件を維持するとともに、前記プロファイル設定部が前記プロファイルの設定に成功した場合に前記記憶部に記憶された前記条件を無効化する条件設定部と、を備える。
【発明の効果】
【００２１】
本発明によれば、通信装置に対する遠隔でのプロファイルの設定が長期間中断された場合であっても、通信装置が通信可能な状態になった際に設定を再開することができるという効果を奏する。
【図面の簡単な説明】
【００２２】
【図１】第１の実施形態に係る通信システムの模式図である。
【図２】プロファイル設定の模式図である。
【図３】第１の実施形態に係る通信制御装置のブロック図である。
【図４】第１の実施形態に係る通信制御装置が実行する通信設定方法の模式図である。
【図５】第１の実施形態に係る通信制御装置が実行する通信設定方法における通信シーケンスを示す図である。
【図６】第２の実施形態に係る通信制御装置が実行する通信設定方法の模式図である。
【図７】第２の実施形態に係る通信制御装置が実行する通信設定方法における通信シーケンスを示す図である。
【発明を実施するための形態】
【００２３】
（第１の実施形態）
［通信システムＳの概要］
図１は、本実施形態に係る通信システムＳの模式図である。通信システムＳは、通信制御装置１００と、車両Ｖと、基地局Ｂとを含む。通信システムＳが含む車両Ｖ及び基地局Ｂの数は限定されない。通信システムＳは、その他のサーバ、端末等の機器を含んでもよい。
【００２４】
基地局Ｂは、ＬＴＥ（Long Term Evolution）等の無線通信（移動体通信）を行うことが可能な無線基地局装置である。基地局Ｂは、アンテナ、プロセッサ、電気回路等、無線通信に必要な設備を備え、自身が通信可能な範囲（すなわちセル）内の通信装置に無線で接続される。基地局Ｂは、通信装置とインターネット等のネットワークＮとの間の通信を中継する。
【００２５】
車両Ｖは、自動車、自動二輪車、自走式建設機械等の車両である。車両Ｖは通信装置を備えており、基地局Ｂを介してネットワークＮと無線通信可能に構成される。車両Ｖは、ネットワークＮと通信することによって、様々な情報サービスを受けることができる。
【００２６】
通信制御装置１００は、車両Ｖの通信を制御するコンピュータである。通信制御装置１００は、車両Ｖの通信装置に対してネットワークＮを介してプロファイルを設定すること（すなわちリモートプロビジョニング）ができる。通信制御装置１００は、有線又は無線でネットワークＮに接続される。図１において通信制御装置１００は１つの装置として記載されているが、複数の装置で構成されてもよい。
【００２７】
図２は、通信制御装置１００が車両Ｖの通信装置１０に対して行うプロファイル設定の模式図である。車両Ｖは、通信を行うための通信装置１０を有する。通信装置１０は、アンテナ、プロセッサ、電気回路等、無線通信に必要な設備を備える。さらに通信装置１０は、ｅＳＩＭ１１（Embedded Subscriber Identity Module）を備える。ｅＳＩＭ１１は、少なくとも１つのプロファイルを記憶する記憶媒体である。ｅＳＩＭ１１は、通信装置１０に固定されてもよく、あるいは着脱可能に設けられてもよい。
【００２８】
プロファイルは、事業者が提供する通信サービスを用いて通信するために必要な情報（データ）である。例えばプロファイルはＩＭＳＩ（International Mobile Subscriber Identity）を含み、ＩＭＳＩは通信サービスが提供される地域（国等）を識別する地域識別情報であるＭＣＣ（Mobile Country Code）を含む。ＭＣＣは、地域ごとに割り振られた３桁の数字である。ｅＳＩＭ１１は、プロファイルを予め記憶してもよく、ネットワークＮを介して通信制御装置１００からプロファイルを受信して記憶してもよい。
【００２９】
さらにｅＳＩＭ１１は、内部に記憶された各プロファイルについて、有効化又は無効化の状態を記憶する。ｅＳＩＭ１１の内部に記憶された各プロファイルは、ネットワークＮを介して（すなわち遠隔で）、通信制御装置１００によって有効化又は無効化される。通信装置１０は、ｅＳＩＭ１１内で有効化されたプロファイルに基づいて、通信を行う。通信制御装置１００がｅＳＩＭ１１に予め記憶されたプロファイルを有効化すること、又は通信制御装置１００がｅＳＩＭ１１にプロファイルを送信して有効化することを、プロファイル設定という。
【００３０】
車両Ｖがある事業者が通信サービスを提供する地域から異なる事業者が通信サービスを提供する地域に移動した際に、車両Ｖの通信装置１０は通信制御装置１００に対してプロファイル設定要求を行う。通信制御装置１００は、通信装置１０からプロファイル設定要求を受けると、通信装置１０（ｅＳＩＭ１１）に対して遠隔でプロファイルを設定する。プロファイル設定が完了すると、通信装置１０は、移動後の地域において通信を行うことが可能になる。
【００３１】
通信装置１０に対して遠隔でプロファイルを設定するためには、数分〜１０分程度の時間が掛かる。プロファイル設定が完了する前に車両Ｖが地下等の通信不可能な場所に移動すると、プロファイル設定が中断される。車両Ｖは通信不可能な場所に長期間（例えば数ヶ月以上）保管される場合があるため、プロファイル設定を無限に再試行すると通信コストや管理コストの無駄が大きくなる。また、プロファイル設定の再試行の回数を制限すると、再試行の回数が満了した後に車両Ｖが通信可能な状態になっても、プロファイル設定を再開することができない。
【００３２】
それに対して本実施形態に係る通信制御装置１００は、後述する通信設定方法を行うことによって、プロファイル設定が長期間中断された場合であっても、プロファイル設定を再開することができる。
【００３３】
［通信制御装置１００の構成］
図３は、本実施形態に係る通信制御装置１００のブロック図である。図３において、矢印は主なデータの流れを示しており、図３に示していないデータの流れがあってよい。図３において、各ブロックはハードウェア（装置）単位の構成ではなく、機能単位の構成を示している。そのため、図３に示すブロックは単一の装置内に実装されてよく、あるいは複数の装置内に別れて実装されてよい。ブロック間のデータの授受は、データバス、ネットワーク、可搬記憶媒体等、任意の手段を介して行われてよい。
【００３４】
通信制御装置１００は、制御部１１０と、通信部１２０と、記憶部１３０とを有する。制御部１１０は、受信部１１１と、トリガ設定部１１２と、プロファイル設定部１１３とを有する。本実施形態に係る通信制御装置１００は、図３に示す具体的な構成に限定されない。
【００３５】
通信部１２０は、基地局Ｂを介して車両Ｖの通信装置１０との間で通信をするための通信インターフェースである。通信部１２０は、無線通信を実行するためのアンテナ、プロセッサ、電気回路等を含む。通信部１２０は、外部から受信した通信信号に所定の処理を行ってデータを取得し、取得したデータを制御部１１０に入力する。また、通信部１２０は、制御部１１０から入力されたデータに所定の処理を行って通信信号を生成し、生成した通信信号を外部に送信する。
【００３６】
記憶部１３０は、ＲＯＭ（Read Only Memory）、ＲＡＭ（Random Access Memory）、ハードディスクドライブ等を含む記憶媒体である。記憶部１３０は、制御部１１０が実行するプログラムを予め記憶している。また記憶部１３０は、通信装置１０に対してプロファイル設定を行うための条件を示すトリガ情報と、通信装置１０に対して設定するプロファイルを示すプロファイル情報とを記憶する。
【００３７】
制御部１１０は、例えばＣＰＵ（Central Processing Unit）等のプロセッサであり、記憶部１３０に記憶されたプログラムを実行することにより、受信部１１１、トリガ設定部１１２及びプロファイル設定部１１３として機能する。受信部１１１、トリガ設定部１１２及びプロファイル設定部１１３の機能については後述する。制御部１１０の機能の少なくとも一部は、電気回路によって実行されてもよい。また、制御部１１０の機能の少なくとも一部は、ネットワーク経由で実行されるプログラムによって実行されてもよい。
【００３８】
［通信設定方法の説明］
図４は、本実施形態に係る通信制御装置１００が実行する通信設定方法の模式図である。図４は、第１地域（例えば第１国）において通信可能な車両Ｖが、第１地域とは異なる第２地域（例えば第２国）に移動する状況を示している。第１地域において、車両ＶのｅＳＩＭ１１には、リモートプロビジョニングによって、あるいは直接（例えばプロファイル設定用の端末に接触させることによって）、予めプロファイル設定が行われている。
【００３９】
第１地域において車両Ｖの電源がＯＮにされた状態で、車両Ｖの通信装置１０は、ｅＳＩＭ１１を識別するＳＩＭ識別情報、第１地域の地域識別情報、及び第１地域の通信事業者等を含む装置情報を、第１地域（すなわち移動前の地域）の基地局Ｂを介して、通信制御装置１００に送信する（ａ）。その後、車両Ｖの電源はＯＦＦにされる。通信制御装置１００の受信部１１１は、車両Ｖの通信装置１０から送信された装置情報を受信する。
【００４０】
通信制御装置１００のトリガ設定部１１２（条件設定部）は、車両Ｖから受信した装置情報に基づいて、記憶部１３０にプロファイル設定を行うためのトリガ（条件）を示すトリガ情報を記憶させることによって、プロファイル設定のトリガを設定する（ｂ）。
【００４１】
例えばトリガ情報は、ｅＳＩＭ１１を識別するＳＩＭ識別情報と、移動先の地域（ここでは第２地域）で用いられるプロファイルに対応する地域識別情報（ＭＣＣ）とを含む。トリガ情報は、管理者によって通信制御装置１００に対して入力されてもよく、装置情報に基づいて所定の規則に従って自動的に決定されてもよい。またトリガ設定部１１２は、記憶部１３０上で、トリガが満たされた場合に設定するプロファイルを示すプロファイル情報を、トリガ情報に関連付ける。
【００４２】
トリガ設定部１１２がトリガを設定した後に、車両Ｖは、電源がＯＦＦにされた状態で、例えば船舶等によって輸送されることによって、第１地域から第２地域へ移動する（ｃ）。第２地域において車両Ｖの電源がＯＮになる（すなわち車両Ｖが通電される）と、車両Ｖの通信装置１０は、第２地域の基地局Ｂを介して、通信制御装置１００にアタッチ要求を送信する（ｄ）。アタッチ要求は、通信装置１０が通信を開始するための信号であり、ｅＳＩＭ１１を識別するＳＩＭ識別情報と、通信を開始しようとしている地域（ここでは第２地域）に対応する地域識別情報（ＭＣＣ）とを含む。通信装置１０から第２地域の基地局Ｂへのアタッチ要求の送信は、事業者間の提携により、契約している事業者（ここでは第１地域の事業者）のサービスエリア外であっても、提携先の事業者（ここでは第２地域の事業者）のサービスエリア内にあれば通信可能となるサービス（ローミング等）によって行われる。
【００４３】
通信制御装置１００において、プロファイル設定部１１３は、車両Ｖから受信したアタッチ要求が、記憶部１３０に記憶されたトリガを満たすか否かを判定する（ｅ）。具体的には、プロファイル設定部１１３は、記憶部１３０に記憶されたトリガ情報が示すＳＩＭ識別情報及び地域識別情報が、アタッチ要求が示すＳＩＭ識別情報及び地域識別情報と一致する場合に、トリガを満たすと判定する。そうでない場合に、プロファイル設定部１１３は、トリガを満たさないと判定する。ここに示したトリガの判定方法は一例であり、車両Ｖが通信する地域に基づくトリガを用いてプロファイル設定の要否を判定可能なその他の方法を用いてもよい。
【００４４】
アタッチ要求がトリガを満たさない場合に、プロファイル設定部１１３はプロファイル設定を行わず、トリガ設定部１１２は記憶部１３０に記憶されたトリガを維持する。アタッチ要求がトリガを満たす場合に、トリガ設定部１１２は、記憶部１３０に記憶されたトリガを無効化する（ｆ）。このときトリガ設定部１１２は、記憶部１３０に記憶されたトリガ情報に無効化フラグを設定することによってトリガを無効化してもよく、記憶部１３０に記憶されたトリガ情報を削除することによってトリガを無効化してもよい。
【００４５】
そしてプロファイル設定部１１３は、トリガの無効化後に、プロファイル設定を開始する（ｇ）。プロファイル設定部１１３は、車両Ｖの通信装置１０（ｅＳＩＭ１１）に対して遠隔でプロファイルを設定する。プロファイル設定部１１３は、トリガに関連付けられたプロファイルを通信装置１０に送信してから有効化してもよく、通信装置１０に予め記憶されたプロファイルを有効化してもよい。
【００４６】
プロファイル設定が完了するまで、プロファイル設定部１１３は、所定の回数（例えば３回）、プロファイル設定を繰り返す。プロファイル設定部１１３は、車両Ｖの電源がＯＦＦになった後に車両Ｖに暗電流が流れる時間の間、プロファイル設定を繰り返すことが望ましい。このように通信制御装置１００はプロファイル設定を何度か再試行するため、一時的な要因でプロファイル設定が中断した場合であっても、プロファイル設定を続行することができる。
【００４７】
プロファイル設定部１１３がプロファイル設定を所定の回数繰り返している間に、車両Ｖの電源が再びＯＮとなることによって通信装置１０が通信制御装置１００へアタッチ要求を送信した場合に、プロファイル設定部１１３は、最初から（すなわち繰り返し回数を初期値に戻して）プロファイル設定を繰り返す。これにより通信制御装置１００は、プロファイル設定をより多く再試行できるため、プロファイル設定が成功しやすくなる。
【００４８】
繰り返しの回数が満了してもプロファイル設定が完了しない（すなわち失敗した）場合に、プロファイル設定部１１３はプロファイル設定を中止し、トリガ設定部１１２は記憶部１３０にトリガを再設定（有効化）する（ｈ）。トリガ設定部１１２は、記憶部１３０においてトリガ情報に設定された無効化フラグを削除することによってトリガを有効化してもよく、記憶部１３０にトリガ情報を再び記憶させることによってトリガを有効化してもよい。トリガ設定部１１２がトリガを再設定した後に車両Ｖからアタッチ要求が送信された場合には、プロファイル設定部１１３は、再設定されたトリガについて再びプロファイル設定を開始する。このように通信制御装置１００は、プロファイル設定が失敗した場合にトリガを再度有効化するだけでプロファイル設定を再開できるようにするため、車両Ｖの通信装置１０ごとにトリガの状態を管理する必要がない。
【００４９】
車両Ｖの通信装置１０は、プロファイル設定が完了した（すなわち成功した）際に、通信制御装置１００へ完了を示す完了情報を送信する。例えば通信装置１０は、ＳＭＳ（ショートメッセージサービス）を用いて完了情報を送信する。通信制御装置１００は、受信部１１１が車両Ｖからの完了情報を受信した場合に、通信設定方法を終了する。通信装置１０は、プロファイル設定のうち、通信制御装置１００からのプロファイルの受信完了のタイミングと、プロファイルの有効化完了のタイミングとのそれぞれにおいて、通信制御装置１００へ完了情報を送信してもよい。
【００５０】
通信制御装置１００のプロファイル設定部１１３は、プロファイルの受信完了の完了情報を受信し、かつプロファイルの有効化完了の完了情報を受信していない場合に、プロファイルの送信を行わずにプロファイルの有効化を行ってもよい。これにより、例えばプロファイル設定の繰り返し中に通信装置１０においてプロファイルの受信のみが完了した場合に、通信制御装置１００はプロファイルの有効化から処理を再開することができるため、効率的である。
【００５１】
このように本実施形態に係る通信制御装置１００は、プロファイル設定の開始時にプロファイル設定のトリガ（条件）を無効化し、プロファイル設定が失敗した場合にトリガを再度有効化するため、通信装置１０が通信可能な状態になれば何度でもプロファイル設定を再開できる。
【００５２】
［通信設定方法の通信シーケンスの一例］
図５は、本実施形態に係る通信制御装置１００が実行する通信設定方法における通信シーケンスを示す図である。まず通信装置１０は、ｅＳＩＭ１１を識別するＳＩＭ識別情報、移動前の地域の地域識別情報、及び移動前の地域の通信事業者等を含む装置情報を、通信制御装置１００に送信する（Ｓ１１）。通信制御装置１００の受信部１１１は、車両Ｖからの装置情報を受信する。
【００５３】
通信制御装置１００のトリガ設定部１１２は、受信部１１１が車両Ｖから受信した装置情報に基づいて、記憶部１３０にプロファイル設定を行うためのトリガ（条件）を示すトリガ情報を記憶させることによって、プロファイル設定のトリガを設定する（Ｓ１２）。
【００５４】
トリガが設定された後、車両Ｖは別の地域に移動し、電源がＯＮになる。このとき、車両Ｖの通信装置１０は、ｅＳＩＭ１１を識別するＳＩＭ識別情報と、移動先の地域の地域識別情報とを含むアタッチ要求を、通信制御装置１００に送信する（Ｓ１３）。通信制御装置１００の受信部１１１は、車両Ｖからのアタッチ要求を受信する。
【００５５】
通信制御装置１００において、プロファイル設定部１１３は、受信部１１１が車両Ｖから受信したアタッチ要求が、記憶部１３０に記憶されたトリガを満たすか否かを判定する（Ｓ１４）。アタッチ要求がトリガを満たす場合に、トリガ設定部１１２は記憶部１３０に記憶されたトリガを無効化し、プロファイル設定部１１３はプロファイル設定を開始する（Ｓ１５）。
【００５６】
プロファイル設定が完了するまで、プロファイル設定部１１３は、所定の回数、プロファイル設定を繰り返す（Ｓ１６）。図５の例では、プロファイル設定開始後に車両Ｖが通信不可能な状態へ遷移したため、プロファイル設定が所定の回数繰り返しても完了しないものとする。このときプロファイル設定部１１３は、プロファイル設定を中止する（Ｓ１７）。そして、トリガ設定部１１２は記憶部１３０にトリガを再設定（有効化）する（Ｓ１８）。
【００５７】
トリガが再設定された後に車両Ｖが通信可能な状態へ遷移すると、通信装置１０及び通信制御装置１００は、再設定されたトリガについて再びステップＳ１３〜Ｓ１６を行う。プロファイル設定が完了すると、通信装置１０は完了を示す完了情報を通信制御装置１００に送信し（Ｓ１９）、通信制御装置１００は通信設定方法を終了する。
【００５８】
［本実施形態の効果］
本実施形態に係る通信制御装置１００は、プロファイル設定の開始時にプロファイル設定のトリガ（条件）を無効化し、プロファイル設定が失敗した場合にトリガを再度有効化する。これにより通信制御装置１００は、車両Ｖの通信装置１０に対するプロファイル設定が長期間中断した場合であっても、通信装置１０が通信可能な状態になれば何度でもプロファイル設定を再開できる。さらに、通信制御装置１００は、プロファイル設定の開始時にトリガを無効化するため、プロファイル設定未完了の車両に係るトリガをプロファイル設定完了まで永続的に管理する必要がない。
【００５９】
（第２の実施形態）
第１の実施形態に係る通信制御装置１００はプロファイル設定の開始時にプロファイル設定のトリガを無効化するのに対して、通信制御装置１００はプロファイル設定の完了時にプロファイル設定のトリガを無効化する。本実施形態においても、通信制御装置１００は、プロファイル設定が長期間中断した場合であってもプロファイル設定を再開できる。
【００６０】
図６は、本実施形態に係る通信制御装置１００が実行する通信設定方法の模式図である。本実施形態では、図４と比べて、プロファイル設定開始時のトリガの無効化（ｆ）及びプロファイル設定失敗時のトリガの再設定（ｈ）が省略され、代わりにプロファイル設定完了時のトリガの無効化（ｉ）が追加されている。それ以外の通信制御装置１００の構成及び処理は第１の実施形態と同様である。
【００６１】
具体的には、まず車両Ｖの通信装置１０及び通信制御装置１００は、図４と同様の（ａ）〜（ｅ）を行う。アタッチ要求がトリガを満たす場合に、トリガ設定部１１２は記憶部１３０に記憶されたトリガを無効化せず維持し、プロファイル設定部１１３はプロファイル設定を開始する（ｇ）。プロファイル設定が完了するまで、プロファイル設定部１１３は、所定の回数、プロファイル設定を繰り返す。
【００６２】
繰り返しの回数が満了してもプロファイル設定が完了しない（すなわち失敗した）場合に、プロファイル設定部１１３はプロファイル設定を中止する。このとき記憶部１３０に記憶されたトリガは無効化されていないため、トリガ設定部１１２はトリガの再設定を行わない。この後、再び車両Ｖからアタッチ要求が送信された場合には、プロファイル設定部１１３は、記憶部１３０に維持されているトリガについて再びプロファイル設定を開始する。
【００６３】
所定の回数内にプロファイル設定が完了した（すなわち成功した）場合に、トリガ設定部１１２は、記憶部１３０に記憶されたトリガを無効化する（ｉ）。トリガ設定部１１２は、記憶部１３０に記憶されたトリガ情報に無効化フラグを設定することによってトリガを無効化してもよく、記憶部１３０に記憶されたトリガ情報を削除することによってトリガを無効化してもよい。
【００６４】
［通信設定方法の通信シーケンスの一例］
図７は、本実施形態に係る通信制御装置１００が実行する通信設定方法における通信シーケンスを示す図である。まず通信装置１０は、ｅＳＩＭ１１を識別するＳＩＭ識別情報、移動前の地域の地域識別情報、及び移動前の地域の通信事業者等を含む装置情報を、通信制御装置１００に送信する（Ｓ１１）。通信制御装置１００の受信部１１１は、車両Ｖからの装置情報を受信する。
【００６５】
通信制御装置１００のトリガ設定部１１２は、受信部１１１が車両Ｖから受信した装置情報に基づいて、記憶部１３０にプロファイル設定を行うためのトリガ（条件）を示すトリガ情報を記憶させることによって、プロファイル設定のトリガを設定する（Ｓ１２）。
【００６６】
トリガが設定された後、車両Ｖは別の地域に移動し、電源がＯＮになる。このとき、車両Ｖの通信装置１０は、ｅＳＩＭ１１を識別するＳＩＭ識別情報と、移動先の地域の地域識別情報とを含むアタッチ要求を、通信制御装置１００に送信する（Ｓ１３）。通信制御装置１００の受信部１１１は、車両Ｖからのアタッチ要求を受信する。
【００６７】
通信制御装置１００において、プロファイル設定部１１３は、受信部１１１が車両Ｖから受信したアタッチ要求が、記憶部１３０に記憶されたトリガを満たすか否かを判定する（Ｓ１４）。アタッチ要求がトリガを満たす場合に、トリガ設定部１１２は記憶部１３０に記憶されたトリガを維持し、プロファイル設定部１１３はプロファイル設定を開始する（Ｓ１５’）。
【００６８】
プロファイル設定が完了するまで、プロファイル設定部１１３は、所定の回数、プロファイル設定を繰り返す（Ｓ１６）。図７の例では、プロファイル設定開始後に車両Ｖが通信不可能な状態へ遷移したため、プロファイル設定が所定の回数繰り返しても完了しないものとする。このときプロファイル設定部１１３は、プロファイル設定を中止する（Ｓ１７）。なお、トリガ設定部１１２はトリガの再設定を行わない。
【００６９】
トリガが再設定された後に車両Ｖが通信可能な状態へ遷移すると、通信装置１０及び通信制御装置１００は、再設定されたトリガについて再びステップＳ１３〜Ｓ１６を行う。プロファイル設定が完了すると、通信装置１０は完了を示す完了情報を通信制御装置１００に送信する（Ｓ１９）。通信制御装置１００の受信部１１１が通信装置１０から完了情報を受信すると、トリガ設定部１１２は記憶部１３０に記憶されたトリガを無効化する（Ｓ２０）。
【００７０】
［本実施形態の効果］
このように本実施形態に係る通信制御装置１００は、プロファイル設定の開始時にプロファイル設定のトリガ（条件）を維持し、プロファイル設定が完了した場合にトリガを無効化する。これにより通信制御装置１００は、車両Ｖの通信装置１０に対するプロファイル設定が長期間中断した場合であっても、通信装置１０が通信可能な状態になれば何度でもプロファイル設定を再開できる。さらに、１回のプロファイル設定に必要なトリガの設定及び無効化の処理がそれぞれ１回だけで済む。そのため、プロファイル設定（リモートプロビジョニング）によって通信制御装置１００に掛かる負荷を低減できる。
【００７１】
上述の各実施形態では車両Ｖに搭載された通信装置１０を用いて説明したが、通信制御装置１００の適用先はこれに限られない。例えば通信制御装置１００は、船舶やＩｏＴ機器等に搭載された通信装置に対する通信設定にも適用できる。特に車両Ｖはバッテリの容量に限りがあるため、移動時や保管時に電源ＯＮになる時間が短い場合が多い。上述の各実施形態に係る通信制御装置１００は、プロファイル設定が長期間中断されても再開できるため、車両Ｖの通信装置１０に対する通信設定に好適に用いられる。
【００７２】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【００７３】
通信装置１０及び通信制御装置１００のプロセッサは、図５、７に示す通信設定方法に含まれる各ステップ（工程）の主体となる。すなわち、通信装置１０及び通信制御装置１００のプロセッサは、図５、７に示す通信設定方法を実行するためのプログラムを記憶部から読み出し、該プログラムを実行して通信装置１０及び通信制御装置１００の各部を制御することによって、図５、７に示す通信設定方法を実行する。図５、７に示す通信設定方法に含まれるステップは一部省略されてもよく、ステップ間の順番が変更されてもよく、複数のステップが並行して行われてもよい。
【符号の説明】
【００７４】
Ｓ  通信システム
１０  通信装置
１００  通信制御装置
１１０  制御部
１１１  受信部
１１２  トリガ設定部
１１３  プロファイル設定部
１３０  記憶部
【図１】
2019146097.tif 000003
【図２】
2019146097.tif 000004
【図３】
2019146097.tif 000005
【図４】
2019146097.tif 000006
【図５】
2019146097.tif 000007
【図６】
2019146097.tif 000008
【図７】
2019146097.tif 000009